(57)【特許請求の範囲】
【請求項１】
ダクトを天井面から吊り下げるダクト取付部材であって、
前記天井面から吊り下げられる板形状の本体部と、
前記本体部の前記天井面側の面である本体上面に設けられた係合突条であって、前記天井面に設けられたアンカー部材の係合溝に係合可能に構成された係合突条と、
前記本体上面から上方に突出するように設けられたバンドリベット部であって、長手方向に所定間隔ごとに位置決め孔が設けられる帯状部材の一端側の該位置決め孔に嵌合可能に構成されたバンドリベット部と、
前記本体部における前記本体上面の反対側の面である本体下面から下方に突出するように設けられた舌状部であって、前記本体部の厚み方向に貫通する第１切り込みによって自由端が形成され、該自由端が該厚み方向に揺動することで、前記ダクトに巻き付けられた前記帯状部材の前記一端側とは逆側の他端側の前記位置決め孔に嵌合するように構成された舌状部と、
前記本体下面との間に隙間を形成するように配置された第１ガイド部であって、該隙間に前記帯状部材が挿入されることで該帯状部材の下方落下を防止するように構成された第１ガイド部と、
を備える、ダクト取付部材。
【請求項２】
前記本体上面において前記帯状部材の幅方向のずれを規制する第２ガイド部であって、前記本体部の両幅において前記本体上面から上方に突出するように設けられた第２ガイド部を更に備える、
請求項１に記載のダクト取付部材。
【請求項３】
前記係合突条は、前記本体上面において、前記バンドリベット部の突出方向と略同一方向に該バンドリベット部の上面から突出するように設けられる、
請求項１又は請求項２に記載のダクト取付部材。
【請求項４】
前記係合突条は、中空に形成され、且つ、その長手方向の周囲面には、内部空間に貫通する第２切り込みと、前記係合溝を構成する雌ネジと噛み合い可能な雄ネジと、が形成される、
請求項１から請求項３の何れか１項に記載のダクト取付部材。
【請求項５】
前記バンドリベット部は、
その一端が該バンドリベット部の側面における上部に固定され、その他端が、該バンドリベット部に沿って下方に延在し、且つ自由端として該バンドリベット部の径方向に揺動可能に構成された返し部を有する、
請求項１から請求項４の何れか１項に記載のダクト取付部材。
【発明の詳細な説明】
【技術分野】
【０００１】
本発明は、フレキシブルダクト等のダクトを施設の天井等に取り付ける際のダクト取付部材に関する。
【背景技術】
【０００２】
空調、換気、排煙等の目的で施設内の天井や壁等（以下、「天井等」と称する）にはダクトが取り付けられている。ダクトは、天井等の形状に合わせ得るものであることが望ましく、一例として湾曲・収縮自在で軽量のフレキシブルダクト等（以下、ダクトと称する）が知られている。一般的に、ダクトの天井等への取り付けは、樹脂製のバンド（以下、「帯状部材」と呼ぶ場合がある）を筒状のダクトの外周に巻き付け、バンドの両端を天井等に取り付けることで行われる。バンドの天井等への取り付けには、直接的な若しくは間接的な取り付け方法がある。直接的な方法としては、ガス銃などの鋲打器を用いてバンドの端部ごと天井等に鋲（釘）等を打ち込む方法や、接着剤を用いて天井等にバンドを接着する方法が知られている。また、間接的な方法としては、天井等から鎖等を垂らし、その鎖等にバンドの端部を釘等の打ち込みまたは接着剤により取り付ける方法が知られている。
【０００３】
間接的な他の取り付け方法として、特許文献１に示されるような、孔の開いた板状部材を備える器具を天井等に固定し、その孔とバンドに設けられた両端の孔を覗くように重ね合わせ、重ねた孔に両側から嵌合部材を通してバンドを器具に取り付ける方法が知られている。また間接的な他の方法として、特許文献２に示されるような、天井等に予め取り付けたフック形状部材を備える器具を用いて、バンドに設けられた両端の孔をフック形状部材に引っ掛けて吊るす方法が知られている。
【先行技術文献】
【特許文献】
【０００４】
【特許文献１】特開２００３−１１４０４５号公報
【特許文献２】特許第４３６５５９０号公報
【発明の概要】
【発明が解決しようとする課題】
【０００５】
特許文献１に示されるダクトの吊り下げバンドによれば、一旦天井等にダクトを取り付けた後にバンドの長さを調節することが困難であった。そのため、ダクト取り付け後に施設環境に応じたダクトの配置・変更に十分に対応できなかった。
【０００６】
また、特許文献２に示されるダクトの吊り下げバンドによれば、バンドに複数の孔を設け、フックに引っ掛ける孔を選択することでバンドの器具への取り付け位置を調整することを可能としているが、引っ掛けているだけであるためフックを軸としてバンドの両端が回転するおそれがあり、ダクトの設置場所からの落下や、バンドが動いて擦れることによるダクトの損傷などの虞があった。
【０００７】
本発明の目的は、ダクトを施設の天井等に取り付ける際に、取付の自由度を向上させるとともに容易な取付を可能にする技術を提供することにある。
【課題を解決するための手段】
【０００８】
本願開示のダクト取付部材は、ダクトを天井面から吊り下げるダクト取付部材である。そして、天井面から吊り下げられる板形状の本体部と、前記本体部の天井面側の面である本体上面に設けられた係合突条であって、天井面に設けられたアンカー部材の係合溝に係合可能に構成された係合突条と、前記本体上面から上方に突出するように設けられたバンドリベット部であって、長手方向に所定間隔ごとに位置決め孔が設けられる帯状部材の一端側の該位置決め孔に嵌合可能に構成されたバンドリベット部と、前記本体部における前記本体上面の反対側の面である本体下面から下方に突出するように設けられた舌状部であって、前記本体部の厚み方向に貫通する第１切り込みによって自由端が形成され、該自由端が該厚み方向に揺動することで、ダクトに巻き付けられた前記帯状部材の前記一端側とは逆側の他端側の前記位置決め孔に嵌合するように構成された舌状部と、前記本体下面との間に隙間を形成するように配置された第１ガイド部であって、該隙間に前記帯状部材が挿入されることで該帯状部材の下方落下を防止するように構成された第１ガイド部と、を備える。
【０００９】
このような構成では、帯状部材の一端側の位置決め孔をバンドリベット部に嵌合させた状態で該帯状部材をダクトに巻き付け、帯状部材の他端側の位置決め孔を舌状部に嵌合させることで、ダクトと該ダクトに巻き付けられた帯状部材とがダクト取付部材に固定されることになる。ここで、帯状部材において、位置決め孔は長手方向に所定間隔ごとに設けられる。そうすると、舌状部に嵌合される帯状部材の他端側の位置決め孔をダクトの周方向の長さに応じて選択することができ、ダクトに巻き付けられる帯状部材の長さを調節することが可能となる。なお、このとき、舌状部の自由端が厚み方向に揺動するため、舌状部と上記の位置決め孔との選択的な嵌合が比較的容易となる。また、ダクト取付部材において、バンドリベット部は本体上面に配置され、舌状部は本体下面に配置される。そのため、帯状部材が巻き付けられたダクトと、ダクト取付部材と、を可及的に近づけることができる。これによれば、施設環境に応じたダクトの配置・変更が容易になり、施設の天井等へのダクトの取付の自由度を向上させることができる。更に、以上に述べた構成において、本体上面には、天井面に設けられたアンカー部材の係合溝に係合可能に構成された係合突条が設けられる。そうすると、帯状部材が巻き付けられたダクトが固定されたダクト取付部材、または、帯状部材の一端側がバンドリベット部に固定されたダクト取付部材において、係合突条をアンカー部材の係合溝に挿入することで、ダクト取付部材（該ダクト取付部材に固定されたダクトまたは帯状部材を含む。）が天井面から吊り下げられる。これによれば、ダクトを施設の天井等に容易に取り付けることができる。
【発明の効果】
【００１０】
本願開示によれば、ダクトを施設の天井等に取り付ける際に、取付の自由度を向上させることができ、且つダクトを施設の天井等に容易に取り付けることができる。
【図面の簡単な説明】
【００１１】
【図１】本願開示に係るダクト取付部材の天井面からの斜視図である。
【図２】図１のダクト取付部材をその裏側から見たときの斜視図である。
【図３】本願開示に係るバンド部材を示す図である。
【図４】本願開示に係るダクトを示す図である。
【図５】バンドリベット部にバンド部材の一端側の位置決め孔が嵌合される例を説明するための図である。
【図６】ダクトに巻き付けられたバンド部材の他端側の位置決め孔が舌状部に嵌合される例を説明するための図である。
【図７】バンド部材およびダクトと一体化されたダクト取付部材が施設の天井に取り付けられる例を説明するための図である。
【図８】施設の天井に取り付けられたダクト取付部材およびバンド部材に対するダクトの取り付けを説明するための図である。
【発明を実施するための形態】
【００１２】
以下、図面に基づいて、本願開示の実施の形態を説明する。以下の実施形態の構成は例示であり、本願開示は実施形態の構成に限定されない。
【００１３】
本願開示に係るダクト取付部材について、図１および図２を参照しながら説明する。ここで、本願開示に係るダクト取付部材は、ダクトを施設の天井面から吊り下げるダクト取付部材である。そして、図１は、本願開示に係るダクト取付部材の天井面からの斜視図であって、図２は、その裏側からのダクト取付部材の斜視図である。本願開示に係るダクト取付部材１００は、施設の天井面から吊り下げられる板形状の本体部１１０と、本体部１１０の天井面側の面である本体上面１１１に設けられた係合突条１２０と、本体上面１１１から上方に突出するように設けられたバンドリベット部１３０と、本体部１１０における本体上面１１１の反対側の面である本体下面１１２から下方に突出するように設けられた舌状部１４０と、本体下面１１２との間に隙間を形成するように配置された第１ガイド部１５０と、を備える。そして、バンドリベット部１３０には、後述するバンド部材１２の一端側の位置決め孔（大孔１４）が嵌合される。また、舌状部１４０には、後述するダクト３００に巻き付けられたバンド部材１２の他端側の位置決め孔（大孔１４）が嵌合される。なお、図１によれば、係合突条１２０とバンドリベット部１３０とが一体に形成されている。詳しくは、係合突条１２０が、本体上面１１１において、バンドリベット部１３０の突出方向と略同一方向に該バンドリベット部１３０の上面から突出するように設けられている。これにより、ダクト取付部材１００の本体部１１０を可及的に小型化することができる。ただし、係合突条１２０とバンドリベット部１３０とが一体に形成される態様に限定する意図はなく、天井面に設けられたアンカー部材の係合溝に係合できるものであれば、本体上面１１１における係合突条１２０の配置の種類は問わない。
【００１４】
ここで、本願開示に係るバンド部材１２を図３に、本願開示に係るダクト３００を図４に示す。バンド部材１２は、図３に示すように長手方向に延びた帯形状の帯状部材であって、ダクト３００の周囲に巻き付けられ、ダクト取付部材１００とともに天井から吊り下げられる。そして、バンド部材１２は、例えば、樹脂製で、幅が５０ｍｍで厚みが１ｍｍに形成される。なお、バンド部材１２の幅は、２０ｍｍ〜８０ｍｍの間のいずれであってもよいし、バンド部材１２の厚みは、０．２ｍｍ〜３ｍｍの間のいずれであってもよい。また、ダクト３００は、長手方向（軸方向）に延びた円筒形状部材であり、バンド部材１２によって天井等から吊り下げ可能である。そして、図４に示すように、ダクト３００は、アルミにより６層で形成されており、径方向に屈曲可能である。なお、ダクト取付部材１００とバンド部材１２とによって吊るされるダクト３００は、アルミ以外の他の部材（樹脂繊維など）とともに形成されるものであってもよい。また、ダクト３００は、６層の構造に限らず、想定される他の構造のダクトを全て含むものである。
【００１５】
そして、図３に示すように、バンド部材１２には、厚み方向に貫通する大孔１４と小孔１６とが配設されている。大孔１４は、楕円形状であり、小孔１６は、円形状である。そして、大孔１４と小孔１６とは、互いに中心軸に沿って、長手方向に交互に繰り返して配設されている。なお、図３では、大孔１４の長径（長手方向の径）が１０ｍｍで、小孔１６の径が３ｍｍの例が示されているが、これはダクト取付部材１００や上述のダクト３００の自重等により選択される設計事項である。例えば、大孔１４の長径（長手方向の径）は、５ｍｍ〜２０ｍｍの間のいずれであってもよいし、小孔１６の径は、１ｍｍ〜５ｍｍの間のいずれであってもよい。
【００１６】
以上に述べた構成において、ダクト取付部材１００によってダクト３００が施設の天井面から吊り下げられる態様について説明する。図５は、バンドリベット部１３０にバンド部材１２の一端側の位置決め孔（大孔１４）が嵌合される例を説明するための図である。図６は、ダクト３００に巻き付けられたバンド部材１２の他端側の位置決め孔（大孔１４）が舌状部１４０に嵌合される例を説明するための図である。図７は、バンド部材１２およびダクト３００と一体化されたダクト取付部材１００が施設の天井に取り付けられる例を説明するための図である。
【００１７】
ダクト取付部材１００によってダクト３００が施設の天井面から吊り下げられるとき、先ず、バンドリベット部１３０にバンド部材１２の一端側の位置決め孔（大孔１４）が嵌合される。この場合、図５（ａ）に示すように、バンドリベット部１３０の上面から突出する係合突条１２０が、バンド部材１２の大孔１４に挿入される。そして、図５（ｂ）に示すように、バンド部材１２の大孔１４に押し付けられるようにして、バンドリベット部１３０の側面に設けられた返し部１３１が内側に揺動することで、バンドリベット部１３０が大孔１４に挿入される。その結果、図５（ｃ）に示すように、バンドリベット部１３０にバンド部材１２の一端側の位置決め孔（大孔１４）が嵌合されることになる。なお、返し部１３１は、その一端がバンドリベット部１３０の側面における上部に固定され、その他端が、該バンドリベット部１３０に沿って下方に延在し、且つ自由端として該バンドリベット部１３０の径方向に揺動可能に構成されている。これにより、後述するように、バンドリベット部１３０に嵌合されたバンド部材１２の大孔１４が、該バンドリベット部１３０から抜けてしまう事態が抑制される。また、本願開示のダクト取付部材１００によれば、本体部１１０の両幅において本体上面１１１から上方に突出するように第２ガイド部１６０が設けられる。そして、この第２ガイド部１６０によって、バンドリベット部１３０を中心としてバンド部材１２が回転することで、本体上面１１１においてバンド部材１２が幅方向にずれる事態が規制される。
【００１８】
次に、バンド部材１２の一端側の位置決め孔（大孔１４）をバンドリベット部１３０に嵌合させた状態で、該バンド部材１２がダクト３００に巻き付けられる。そして、図６に示すように、ダクト３００に巻き付けられたバンド部材１２の他端側の位置決め孔（大孔１４）が舌状部１４０に嵌合される。詳しくは、図６（ａ）に示すように、バンド部材１２の一端側の位置決め孔（大孔１４）がバンドリベット部１３０に嵌合された状態で、該バンド部材１２がダクト３００に巻き付けられる。このとき、上述したバンドリベット部１３０の返し部１３１によって、バンド部材１２の厚み方向の移動が規制される。これにより、バンドリベット部１３０に嵌合されたバンド部材１２の大孔１４が、該バンドリベット部１３０から抜けてしまう事態が抑制される。
【００１９】
そして、図６（ｂ）に示すように、バンド部材１２の大孔１４が舌状部１４０に嵌合される。なお、図６（ｂ）では、バンド部材１２が巻き付けられたダクト３００の図示を省略している。このとき、上記の図２を参照すると、本体部１１０には、該本体部１１０の厚み方向に貫通する第１切り込み１４１が形成されている。そして、この第１切り込み１４１によって舌状部１４０の一端が自由端１４２となり、該自由端１４２は厚み方向に揺動可能に構成されている。また、上記の図２によると、第１ガイド部１５０によって、該第１ガイド部１５０と本体下面１１２との間に隙間１５１が形成される。そうすると、バンド部材１２の大孔１４が舌状部１４０に嵌合されるとき、バンド部材１２は、隙間１５１を通って本体下面１１２に沿って進行し、舌状部１４０に到達すると該舌状部１４０の自由端１４２を厚み方向に押し込みながら更に進行する。そして、バンド部材１２の大孔１４が舌状部１４０に到達すると、該大孔１４が舌状部１４０に引っかけられて該大孔１４と該舌状部１４０とが嵌合されることになる。なお、大孔１４と舌状部１４０とが嵌合された状態で更にバンド部材１２を進行させると該嵌合状態は解除され、上記と同様の動作によって、次の大孔１４に舌状部１４０を嵌合させることができる。そうすると、舌状部１４０に嵌合されるバンド部材１２の大孔１４をダクト３００の周方向の長さに応じて選択することができ、ダクト３００に巻き付けられるバンド部材１２の長さを調節することが可能となる。なお、このとき、舌状部１４０の自由端１４２が厚み方向に揺動するため、舌状部１４０と大孔１４との選択的な嵌合が比較的容易となる。また、上記において、第１ガイド部１５０によって、バンド部材１２の下方落下が防止される。
【００２０】
そして、ダクト取付部材１００によってバンド部材１２とダクト３００とが一体化されると、図７に示すように、バンド部材１２およびダクト３００と一体化されたダクト取付部材１００が施設の天井に取り付けられる。なお、このとき、上述した第２ガイド部１６０によって、バンドリベット部１３０を中心としてバンド部材１２が回転することで、本体上面１１１においてバンド部材１２が幅方向にずれる事態が規制される。そのため、バンド部材１２とともにダクト３００が回転してしまう事態も抑制され、ダクト３００を施設の天井に取り付ける作業の作業性が向上する。
【００２１】
また、本願開示のダクト取付部材１００によれば、バンドリベット部１３０は本体上面１１１に配置され、舌状部１４０は本体下面１１２に配置される。そのため、図７に示すように、バンド部材１２が巻き付けられたダクト３００と、ダクト取付部材１００と、を可及的に近づけることができる。これによれば、施設環境に応じたダクト３００の配置・変更が容易になり、施設の天井へのダクト３００の取付の自由度を向上させることができる。
【００２２】
ここで、上記の図１に示したように、本体上面１１１には、天井面に設けられたアンカー部材の係合溝に係合可能に構成された係合突条１２０が設けられる。そうすると、バンド部材１２が巻き付けられたダクト３００が固定されたダクト取付部材１００において、係合突条１２０をアンカー部材の係合溝に挿入することで、ダクト取付部材１００を天井面から吊り下げることができる。これによれば、ダクト３００を施設の天井に容易に取り付けることができる。
【００２３】
ここで、本願開示のダクト取付部材１００では、上記の図１によると、係合突条１２０が中空に形成され、且つ、その長手方向の周囲面には、内部空間に貫通する第２切り込み１２１と、アンカー部材の係合溝を構成する雌ネジと噛み合い可能な雄ネジ１２２と、が形成される。このような構成によれば、係合突条１２０の長手方向の周囲面に内側への荷重が加えられると、該周囲面が内側に弾性変形することになる。そうすると、係合突条１２０がアンカー部材の係合溝に挿入されるとき、係合突条１２０の雄ネジ１２２と該係合溝の雌ネジとの噛み合わせにおいて、係合突条１２０を回転させずとも、係合突条１２０を係合溝に向かって一方向に押し込めば該係合突条１２０の周囲面が内側に弾性変形するため、係合突条１２０の雄ネジ１２２と該係合溝の雌ネジとの噛み合わせが可能となる。これによれば、図７に示すように、バンド部材１２およびダクト３００と一体化されたダクト取付部材１００を施設の天井に取り付けるとき、係合突条１２０がアンカー部材の係合溝に挿入されるように、一体化されたダクト取付部材１００を天井面に向かって押し付ければダクト３００を天井に取り付けることができ、以て、ダクト３００を施設の天井に容易に取り付けることが可能となる。
【００２４】
なお、図８に示すように、ダクト取付部材１００とバンド部材１２とが先に施設の天井に取り付けられてもよい。ここで、図８は、施設の天井に取り付けられたダクト取付部材１００およびバンド部材１２に対するダクト３００の取り付けを説明するための図である。この場合、図８に示すように、ダクト取付部材１００によって施設の天井に取り付けられたバンド部材１２が、ダクト３００に巻き付けられる。このときにも、上記に述べたのと同様に、バンド部材１２の一端側の位置決め孔（大孔１４）をバンドリベット部１３０に嵌合させた状態（図８では、この状態においてダクト取付部材１００の係合突条１２０と天井面のアンカー部材の係合溝とが係合しているため、ダクト取付部材１００とともにバンド部材１２も天井面に固定される。）で該バンド部材１２をダクト３００に巻き付け、バンド部材１２の他端側の位置決め孔（大孔１４）を舌状部１４０に嵌合させることで、ダクト３００と該ダクト３００に巻き付けられたバンド部材１２とがダクト取付部材１００に固定されることになる。これによっても、舌状部１４０に嵌合されるバンド部材１２の他端側の位置決め孔（大孔１４）をダクト３００の周方向の長さに応じて選択することができ、ダクト３００に巻き付けられるバンド部材１２の長さを調節することが可能となり、施設の天井へのダクト３００の取付の自由度を向上させることができる。
【００２５】
以上に述べたように、本願開示によれば、ダクトを施設の天井等に取り付ける際に、取付の自由度を向上させることができ、且つダクトを施設の天井等に容易に取り付けることができる。
【符号の説明】
【００２６】
１００・・・ダクト取付部材
１１０・・・本体部
１１１・・・本体上面
１１２・・・本体下面
１２０・・・係合突条
１３０・・・バンドリベット部
１４０・・・舌状部
１４１・・・第１切り込み
１４２・・・自由端
１５０・・・第１ガイド部
１５１・・・隙間
【要約】      （修正有）【課題】ダクトを施設の天井等に取り付ける際に、取付の自由度を向上させるとともに容易な取付を可能にする。【解決手段】天井面から吊り下げられる板形状の本体部１１０と、天井面に設けられたアンカー部材の係合溝に係合可能に構成された係合突条１２０と、長手方向に所定間隔ごとに位置決め孔が設けられる帯状部材の一端側の該位置決め孔に嵌合可能に構成されたバンドリベット部１３０と、本体部の厚み方向に貫通する第１切り込みによって自由端が形成され、該自由端が厚み方向に揺動することで、ダクトに巻き付けられた帯状部材の一端側とは逆側の他端側の位置決め孔に嵌合するように構成された舌状部１４０と、本体下面との間に隙間を形成するように配置された第１ガイド部であって、該隙間に帯状部材が挿入されることで該帯状部材の下方落下を防止するように構成された第１ガイド部と、を備える。【選択図】図１【図１】
0006905666.tif 000002
【図２】
0006905666.tif 000003
【図３】
0006905666.tif 000004
【図４】
0006905666.tif 000005
【図５】
0006905666.tif 000006
【図６】
0006905666.tif 000007
【図７】
0006905666.tif 000008
【図８】
0006905666.tif 000009